(57)【要約】【課題】高い安全性を有する放電ランプ、放電ランプ用ソケット、放電ランプ装置および放電ランプ点灯装置を提供することにある。【解決手段】放電ランプは、外管にベースが取り付けられてなり、ベースは螺旋状給電部材と点状給電部材とを有してなり、螺旋状給電部材と点状給電部材との間の最短沿面離間距離が６．０ｍｍ以上とされていることを特徴とする。放電ランプ用ソケットは、螺旋状受金部材と接触片とがソケット本体に設けられてなり、当該螺旋状受金部材と接触片との間の最短離間距離が５．０ｍｍ以上とされていることを特徴とする。放電ランプ用ソケットは、螺旋状受金部材と接触片とがソケット本体に設けられてなり、ソケット基準線と接触片との間の最短離間距離が１９．６ｍｍ以上とされていることを特徴とする。【選択図】    図３
2004265640.tif 000002
【特許請求の範囲】
【請求項１】
一対の放電電極を有する発光管が、一端に封止部を有する外管の内部に収容され、当該外管の一端にベースが取り付けられてなり、２．０〜３．５ＫＶｒｍｓの始動電圧または最大パルス高さが３〜５ＫＶのパルス電圧により点灯される放電ランプであって、
ベースは、給電部材支持部およびこの給電部材支持部の先端から突出して伸びる突出部を有する絶縁性のベース本体と、このベース本体の給電部材支持部の外周に設けられた、前記一対の放電電極の一方と電気的に接続された、幅が１０．４〜１１．０ｍｍである螺旋状給電部材と、ベース本体の突出部の先端に設けられた、前記一対の放電電極の他方と電気的に接続された点状給電部材とを有してなり、
前記ベースにおいて、ベース本体の突出部の外表面に沿った螺旋状給電部材と点状給電部材との間の最短沿面離間距離が６．０ｍｍ以上とされていることを特徴とする放電ランプ。
【請求項２】
２．０〜３．５ＫＶｒｍｓの始動電圧または最大パルス高さが３〜５ＫＶのパルス電圧により点灯される放電ランプに設けられた口金部が装着される放電ランプ用ソケットであって、
放電ランプの口金部における螺旋状給電部材が螺合される筒状の螺旋状受金部材と、当該口金部の点状給電部材が接触される接触片とが絶縁性のソケット本体に設けられてなり、
当該螺旋状受金部材と接触片との間の最短離間距離が５．０ｍｍ以上とされていることを特徴とする放電ランプ用ソケット。
【請求項３】
２．０〜３．５ＫＶｒｍｓの始動電圧または最大パルス高さが３〜５ＫＶのパルス電圧により点灯される放電ランプに設けられた口金部が装着される放電ランプ用ソケットであって、
放電ランプの口金部における螺旋状給電部材が螺合される筒状の螺旋状受金部材と、当該口金部の点状給電部材が接触される接触片とが絶縁性のソケット本体に設けられてなり、
日本工業規格によるＥ１１口金の条件を満足する口金部が装着された場合における当該口金部を構成するベースのベース基準線に一致するソケット基準線と接触片との間の最短離間距離が１９．６ｍｍ以上とされていることを特徴とする放電ランプ用ソケット。
【請求項４】
請求項１に記載の放電ランプと、この放電ランプに設けられた口金部が装着される放電ランプ用ソケットとよりなる放電ランプ装置であって、
放電ランプ用ソケットは、放電ランプの口金部における螺旋状給電部材が螺合される筒状の螺旋状受金部材と、当該口金部の点状給電部材が接触される接触片とが絶縁性のソケット本体に設けられてなり、
当該放電ランプ用ソケットにおいて、螺旋状受金部材と接触片との間の最短離間距離が５．０ｍｍ以上とされると共に、日本工業規格によるＥ１１口金の条件を満足する口金部が装着された場合における当該口金部を構成するベースのベース基準線に一致するソケット基準線と接触片との間の最短離間距離が１９．６ｍｍ以上とされていることを特徴とする放電ランプ装置。
【請求項５】
請求項１に記載の放電ランプを、５０Ｈｚ〜１００ｋＨｚの点灯周波数で点灯させるための点灯回路を有することを特徴とする放電ランプ点灯装置。
【発明の詳細な説明】
【０００１】
【発明の属する技術分野】
本発明は、放電ランプ、放電ランプ用ソケット、放電ランプ装置および放電ランプ点灯装置に関する。
【０００２】
【従来の技術】
従来から、種々の照明装置の光源ランプとして、ハロゲン白熱ランプが広く利用されているが、近年においては、高輝度または高色温度の光を放射する放電ランプが好適に使用されるようになっている。
【０００３】
一方、照明装置において、光源ランプは、通常、当該照明装置に設けられた適宜のソケットに当該光源ランプの口金部を装着して使用されており、特に、日本工業規格によるＥ１１口金（以下、単に「Ｅ１１口金」という。）の条件に従う寸法の口金部を備えた光源ランプが、これに対応するソケットにより使用されるされることが一般的になっている。
【０００４】
そして、以上のような事情から、Ｅ１１口金の条件に従う口金部を備えた放電ランプや対応する放電ランプ用ソケットが開発され、提案されている（例えば特許文献１参照。）。
【０００５】
しかしながら、このようにＥ１１口金という同一の規格に従う寸法の口金部を有するランプは、それが放電ランプであっても、あるいはハロゲン白熱ランプであっても、同一のソケットに装着することが物理的に可能である。
然るに、放電ランプ用ソケットにハロゲン白熱ランプが誤って装着された場合には、当該放電ランプ用ソケットを介して、当該ハロゲン白熱ランプに対し、放電ランプを点灯させるために必要な高電圧が印加されることにより、当該ハロゲン白熱ランプのバルブが破裂するおそれがあり、従ってきわめて危険な事態が生ずる、という問題がある。
【０００６】
【特許文献１】
特開２００１−１６７７３７号公報
【０００７】
【発明が解決しようとする課題】
本発明は、以上のような事情に基づいてなされたものであって、その目的は、それ自体が高い安全性を有し、仮にハロゲン白熱ランプが誤って装着された場合にも高い安全性が確保される放電ランプ、放電ランプ用ソケット、放電ランプ装置および放電ランプ点灯装置を提供することにある。
【０００８】
【課題を解決するための手段】
本発明の放電ランプは、一対の放電電極を有する発光管が、一端に封止部を有する外管の内部に収容され、当該外管の一端にベースが取り付けられてなり、２．０〜３．５ＫＶｒｍｓの始動電圧または最大パルス高さが３〜５ＫＶのパルス電圧により点灯される放電ランプであって、
ベースは、給電部材支持部およびこの給電部材支持部の先端から突出して伸びる突出部を有する絶縁性のベース本体と、このベース本体の給電部材支持部の外周に設けられた、前記一対の放電電極の一方と電気的に接続された、幅が１０．４〜１１．０ｍｍである螺旋状給電部材と、ベース本体の突出部の先端に設けられた、前記一対の放電電極の他方と電気的に接続された点状給電部材とを有してなり、
前記ベースにおいて、ベース本体の突出部の外表面に沿った螺旋状給電部材と点状給電部材との間の最短沿面離間距離が６．０ｍｍ以上とされていることを特徴とする。
【０００９】
本発明の放電ランプ用ソケットは、２．０〜３．５ＫＶｒｍｓの始動電圧または最大パルス高さが３〜５ＫＶのパルス電圧により点灯される放電ランプに設けられた口金部が装着される放電ランプ用ソケットであって、
放電ランプの口金部における螺旋状給電部材が螺合される筒状の螺旋状受金部材と、当該口金部の点状給電部材が接触される接触片とが絶縁性のソケット本体に設けられてなり、
当該螺旋状受金部材と接触片との間の最短離間距離が５．０ｍｍ以上とされていることを特徴とする。
【００１０】
また、本発明の放電ランプ用ソケットは、２．０〜３．５ＫＶｒｍｓの始動電圧または最大パルス高さが３〜５ＫＶのパルス電圧により点灯される放電ランプに設けられた口金部が装着される放電ランプ用ソケットであって、
放電ランプの口金部における螺旋状給電部材が螺合される筒状の螺旋状受金部材と、当該口金部の点状給電部材が接触される接触片とが絶縁性のソケット本体に設けられてなり、
日本工業規格によるＥ１１口金の条件を満足する口金部が装着された場合における当該口金部を構成するベースのベース基準線に一致するソケット基準線と接触片との間の最短離間距離が１９．６ｍｍ以上とされていることを特徴とする。
【００１１】
本発明の放電ランプ装置は、上記の放電ランプと、この放電ランプに設けられた口金部が装着される放電ランプ用ソケットとよりなるものであって、
放電ランプ用ソケットは、放電ランプの口金部における螺旋状給電部材が螺合される筒状の螺旋状受金部材と、当該口金部の点状給電部材が接触される接触片とが絶縁性のソケット本体に設けられてなり、
当該放電ランプ用ソケットにおいて、螺旋状受金部材と接触片との間の最短離間距離が５．０ｍｍ以上とされると共に、日本工業規格によるＥ１１口金の条件を満足する口金部が装着された場合における当該口金部を構成するベースのベース基準線に一致するソケット基準線と接触片との間の最短離間距離が１９．６ｍｍ以上とされていることを特徴とする。
【００１２】
また、本発明の放電ランプ点灯装置は、上記の放電ランプを、５０Ｈｚ〜１００ｋＨｚの点灯周波数で点灯させるための点灯回路を有することを特徴とする。
【００１３】
【作用】
本発明の放電ランプによれば、口金部を構成するベースにおいて、ベース本体の突出部の外表面に沿った螺旋状給電部材と点状給電部材との間の最短沿面離間距離が６．０ｍｍ以上とされていることにより、当該螺旋状給電部材と点状給電部材との間に高い絶縁性が得られるため、それらの間における放電が確実に防止され、従って高い安全性が得られる。
【００１４】
本発明の放電ランプ用ソケットによれば、装着される放電ランプの口金部における螺旋状給電部材が螺合される螺旋状受金部材と、当該口金部の点状給電部材が接触される接触片との間における最短離間距離が５．０ｍｍ以上とされていることにより、それらの間における放電が確実に防止され、従って高い安全性が得られる。
【００１５】
また、放電ランプ用ソケットが、Ｅ１１口金の条件を満足する口金部が装着された場合における、当該口金部を構成するベースのベース基準線に一致するソケット基準線と接触片との間の最短離間距離が１９．６ｍｍ以上とされていることにより、Ｅ１１口金の条件に従う口金部を有するハロゲン白熱ランプが誤って装着された場合にも、当該ハロゲン白熱ランプの口金部の点状給電部材と、当該放電ランプ用ソケットの接触片との間が十分な距離を介して離間した状態となるため、当該ハロゲン白熱ランプに対して、放電ランプを点灯するための高電圧が印加されることが確実に防止され、併せて、当該点状給電部材と接触片との間で放電が発生することが確実に防止される。
【００１６】
本発明の放電ランプ装置よれば、上記の放電ランプおよび放電ランプ用ソケットにより構成されることにより、上記と同様の作用効果を確実に得ることができる。
【００１７】
【発明の実施の形態】
以下、本発明の実施例について詳細に説明する。
図１は、本発明に係る放電ランプの一例における構成を示す説明用一部断面図、図２は、本発明に係る放電ランプ用ソケットの一例における構成を示す説明用断面図、図３は、図１の放電ランプと図２の放電ランプ用ソケットとによる本発明の放電ランプ装置の構成を示す説明用断面図である。
【００１８】
図の例において、放電ランプ１０は、いわゆるベース付きの一端封止型放電ランプであり、内部に発光管１２が収容された外管１１の一端に、ベース２０による口金部が設けられて構成されている。この放電ランプ１０において、外管１１は、例えばシリカガラスよりなり、一端に圧着により偏平な封止部１３が形成され、他端に排気管残部１１１を有する。
【００１９】
発光管１２は、一対の放電電極（図示せず）を備えると共に、その内部の放電空間内に、例えば金属ハロゲン化物、希ガスおよび水銀などが封入されており、一対の放電電極から伸びる一方のリード棒１４１および他方のリード棒１４２には、それぞれ、外管１１の封止部１３に埋設された金属箔１３１および１３２から外管１１内に伸びる一方の内部給電リード棒１５１および他方の内部給電リード棒１５２の先端が接続されることにより、外管１１内において支持されている。また、外管１１の封止部１３における金属箔１３１および１３２の各々には、封止部１３から外方に伸びる外部リード棒１６１および１６２が接続されている。そして、外管１１内は、例えば真空状態とされている。１７は、発光管１２に設けられたトリガー電極である。
【００２０】
以上の放電ランプ１０は、２．０〜３．５ＫＶｒｍｓの始動電圧により点灯されるものであり、あるいは最大パルス高さが３〜５ＫＶのパルス電圧により点灯されるものである。
【００２１】
ベース２０は、例えばアルミナ−シリカ系の絶縁性セラミックスよりなるベース本体に給電部材が設けられて構成されており、このベース２０により、放電ランプ１０の口金部が形成される。
【００２２】
ベース本体は、上部の外管保持部２１と、この外管保持部２１に続く給電部材支持部２２と、この給電部材支持部２２から軸方向下方に大きく伸び出るよう突出する円錐状突出部２３とにより構成されており、外管保持部２１には、その上面に開口するよう、溝状のランプ受容部（図示せず）が形成されている。
【００２３】
このベース本体の給電部材支持部２２には、その外周面上に円筒状の金属製螺旋状給電部材２４が固定して設けられると共に、当該ベース本体を軸方向に貫通して伸びる貫通孔２８が開口する突出部２３の先端面の個所に、金属製の点状給電部材２５が当該貫通孔２８の開口を塞ぐように設けられている。そして、図１に示す、螺旋状給電部材２４における山に係る一の頂点部と、山に係る当該一の頂点部と径方向に対向した位置における他の頂点部との、当該径方向における最大離間距離である幅Ｗは１０．４〜１１．０ｍｍであり、すなわち、幅Ｗに係る値は、日本工業規格の  Ｃ  ７７０９−１のシートナンバー１−１６−１に示されるＥ１１口金の記号ｄに係る値の範囲を包含するものであると共に、記号ｄ１  に係る値より大きいものである。
【００２４】
また、このベース２０においては、その外管保持部２１と給電部材支持部２２との間に、軸方向と直角な平面に沿って伸び、後述する放電ランプ用ソケット４０における受容空間４３に係る円筒状縁部４２の端面４１１に当接される当接面Ｓを下面に有する鍔状当接部２７が設けられている。
【００２５】
このようなベース２０に対し、放電ランプ１０の封止部１３の先端部分が、ベース本体の外管保持部２１におけるランプ受容部内に挿入され、一方の外部リード棒１６１に接続された一方のリード線２６１が螺旋状給電部材２４に接続されると共に、他方の外部リード棒１６２に接続された他方のリード線２６２が点状給電部材２５に接続され、これにより、螺旋状給電部材２４および点状給電部材２５が、それぞれ、発光管１２の一対の放電電極に電気的に接続された状態が形成され、この状態で、接着剤により、当該ベース２０が放電ランプ１０に固着されて取り付けられている。
【００２６】
一方、本発明の放電ランプ用ソケット４０は、上面に開口する受容空間４３が形成された有底筒状の絶縁性セラミックスよりなるソケット本体４１において、その内周面に沿って円筒状の金属製螺旋状受金部材４４が固定されると共に、その内底面に接触片４５が固定されて構成されており、螺旋状受金部材４４は、放電ランプ１０の螺旋状給電部材２４が螺合するものであり、接触片４５は、ソケット本体４１の底面に固定された基板部からＵ字状に湾曲して上方に伸びる例えば銅−ニッケルの弾性金属製舌片板材よりなり、その先端部に接点が形成されている。４２は、受容空間４３の開口を区画する円筒状縁部であり、この円筒状縁部４２の端面４１１は、軸方向に直角な平面に沿った状態とされている。
【００２７】
図２において、４６は、螺旋状受金部材４４に接続される外部給電線が配設される一方の外部給電線導通部、４７は、接触片４５に接続される外部給電線が配設される他方の外部給電線導通部である。
【００２８】
図３に、上記の放電ランプ１０の口金部が、上記の放電ランプ用ソケット４０に装着された状態の放電ランプ装置が示されている。
すなわち、この放電ランプ装置においては、放電ランプ１０における、ベース２０による口金部がその先端から放電ランプ用ソケット４０の受容空間４３内に挿入されて螺旋状給電部材２４が螺旋状受金部材４４に螺合させられ、最終的に、ベース本体の鍔状当接部２７の下方を向いた当接面Ｓが、ソケット４０の円筒状縁部４２の端面４１１に当接するまで回転されて嵌合した状態とされている。この装着状態では、ベース２０の突出部２３の先端における点状給電部材２５が、接触片４５の接点部に当接し、これにより、接触片４５が弾性的に変形させられた状態とされている。
【００２９】
従って、この装着状態において、放電ランプ１０は、螺旋状給電部材２４がソケット４０の螺旋状受金部材４４に螺合することによりソケット４０に保持されており、同時に、螺旋状給電部材２４が螺旋状受金部材４４に接触すると共に点状給電部材２５が接触片４５に接触していることにより、ソケット４０による電気的な接続状態が達成されている。
【００３０】
以上の放電ランプ装置は、放電ランプ１０を５０Ｈｚ〜１００ｋＨｚの点灯周波数で点灯させる点灯回路を有する放電ランプ点灯装置に接続されて使用される。この放電ランプ点灯装置は、放電ランプ１０を点灯させるために、２．０〜３．５ＫＶｒｍｓの始動電圧を印加することができるものであり、あるいは、最大パルス高さが３〜５ＫＶのパルス電圧を印加することができるものである。
【００３１】
以上の構成において、放電ランプ１０を構成するベース２０においては、ベース本体の突出部２３の外表面に沿った螺旋状給電部材２４と点状給電部材２５との間の最短沿面離間距離、すなわち、図１に示されている螺旋状給電部材２４の下端の内周縁の個所Ａと、突出部２３の外表面に沿って軸方向に対向する点状給電部材２５の外周縁における個所Ａ’との間の距離（Ａ−Ａ’間の沿面距離）が６．０ｍｍ以上とされていることが必要であり、特に７．４ｍｍ以上であることが好ましい。
【００３２】
このようなベース２０における条件が満たされることにより、放電ランプ１０が２．０〜３．５ＫＶｒｍｓの始動電圧または最大パルス高さが３〜５ＫＶのパルス電圧により始動されるものであっても、螺旋状給電部材２４と点状給電部材２５との間に高い絶縁性を確実に得ることができ、それらの間における放電の発生を確実に防止することができる。
このベース２０における最短沿面離間距離は、実用上、１０．０ｍｍ以下であることが好ましく、この場合には、ベース２０が徒に大きくなることが回避される。
【００３３】
また、放電ランプ用ソケット４０においては、螺旋状受金部材４４と接触片４５との間の端子間最短離間距離、すなわち、図２に示されている接触片４５の先端個所Ｂ’に最も接近している螺旋状受金部材４４の個所Ｂとの間の距離（Ｂ−Ｂ’間距離）が５．０ｍｍ以上とされていることが必要であり、特に５．６ｍｍ以上であることが好ましい。
【００３４】
このようなソケット４０における条件が満たされることにより、螺旋状受金部材４４と接触片４５との間に高い絶縁性を確実に得ることができ、その結果、当該ソケット４０に装着されて使用される放電ランプが２．０〜３．５ＫＶｒｍｓの始動電圧または最大パルス高さが３〜５ＫＶのパルス電圧により始動されるものであっても、ソケット４０において螺旋状受金部材４４と接触片４５との間における放電の発生を確実に防止することができる。
【００３５】
このソケット４０における端子間最短離間距離は、実用上、１０．０ｍｍ以下であることが好ましく、この場合には、ソケット４０が徒に大きくなることが回避される。
【００３６】
更に、上記の放電ランプ用ソケット４０においては、図４に示すように、その螺旋状受金部材４４がＥ１１口金の条件に従う口金部に適合するものである場合に、そのソケット基準線Ｌのレベルと、接触片４５の最上部個所である先端の位置のレベルとの間の、当該ソケット４０の軸方向（図４で上下方向）の距離Ｃが１９．６ｍｍ以上とされていることが必要である。
【００３７】
ここに、ソケット基準線Ｌとは、当該ソケットにＥ１１口金の条件に従う口金部が装着された状態において、日本工業規格の  Ｃ  ７７０９−１のシートナンバー１−１６−１に示されるＥ１１口金の基準線のレベルに一致する、当該ソケットにおいて想定される基準線であって、具体的には、Ｅ１１口金の条件に従う口金部のベースを構成するベース本体における軸方向に直角な平面上の直径が基準直径の値（１３．４９ｍｍ）となる位置に対応する線である。
【００３８】
また、Ｅ１１口金の条件に従う口金部が装着された状態とは、例えば図４に示されているように、Ｅ１１口金の条件に従う口金部がソケット４０に螺合されて回転されて下降して行く行程において、ソケット４０の受容空間４３に係る円筒状縁部４２の内縁に、ベース５０のベース本体における上方に向かうに従って外径が大きくなるテーパ部が当接し、口金部のそれ以上の回転または進行が事実上許容されない状態である。
【００３９】
図４では、通常のＥ１１口金の条件に従う口金部が装着された状態が示されており、この例においては、ソケット基準線Ｌは、ソケット４０の外部（上方に外れたレベルの位置）に位置されている。また、この状態では、当該ベース５０の螺旋状給電部材５４は螺旋状受金部材４４に螺合しているが、点状給電部材５５は、接触片４５の先端レベルから距離Ｄだけ離間した状態とされており、当該放電ランプ用ソケット４０における当該距離Ｄは、例えば３．８ｍｍ以上の大きさとされている。
【００４０】
本発明の放電ランプ用ソケットは、本発明の放電ランプの口金部が装着可能な構成とされるが、当該構成においては、Ｅ１１口金の条件に従う口金部を有するハロゲン白熱ランプをも装着することが物理的に可能となる場合もある。しかしながら、放電ランプ用ソケットにおいては、ソケット基準線Ｌと接触片４５との間の離間距離Ｃが１９．６ｍｍ以上とされることにより、当該Ｅ１１口金の条件に従う口金部を有するハロゲン白熱ランプが誤って当該ソケットに装着された場合においても、当該ハロゲン白熱ランプの点状給電部材は接触片４５に接近せずに十分な距離を介して離間した状態が確保されるので、当該ハロゲン白熱ランプとソケットの接点間に高い絶縁性を確実に得ることができる。従って、ハロゲン白熱ランプに対して、放電ランプを始動させるための２．０〜３．５ＫＶｒｍｓの高い始動電圧や、最大パルス高さが３〜５ＫＶの高いパルス電圧がソケットの給電部材に印加されても、ソケットの内部において放電が発生することが確実に防止され、高い安全性が得られる。
【００４１】
放電ランプ用ソケットにおけるソケット基準線Ｌと接触片４５との離間距離Ｃは、実用上、２５．０ｍｍ以下であることが好ましく、この場合には、ソケットが徒に大きくなることが回避される。
【００４２】
本発明に係る放電ランプ装置によれば、上記の放電ランプに係る利点および上記の放電ランプ用ソケットに係る利点の両方が得られる。
すなわち、放電ランプのベースにおいて、螺旋状給電部材と点状給電部材とが十分な大きさの沿面距離で離間した状態とされているため、両給電部材間に高い絶縁性を確保することができ、それらの間で放電の発生が確実に防止されるために高い安全性が得られる。
また、放電ランプ用ソケットにおいてＥ１１口金の条件に従う口金部を有するハロゲン白熱ランプを装着することは可能であっても、装着状態においては、当該ハロゲン白熱ランプの点状給電部材とソケットの接触片との間に十分な距離の離間状態が形成されるため、両者間に高い絶縁性を確保することができ、それらの間で放電の発生が確実に防止され、従って、誤ってハロゲン白熱ランプが装着されたときにも高い安全性が得られる。
【００４３】
以上、本発明の実施例について説明したが、本発明は、上述の例に限定されるものではなく、種々の変更を加えることができる。
例えば、図５に示されるように、放電ランプ用ソケット４０の受容空間４３に係る円筒状縁部４２の内縁の端面４１１は、下方に向かうに従って小径となるテーパー状とすることができる。この場合に、この端面４１１のテーパー面の角度は、受容される口金部のベース本体のテーパー部の角度と適合する大きさであることが好ましい。
【００４４】
【実施例】
以下、本発明に係る放電ランプおよび放電ランプ用ソケットの具体的な実験例について説明する。
【００４５】
図１に示す構成に従い、ベース（２０）におけるベース本体の突出部（２３）の外表面における螺旋状給電部材（２４）と点状給電部材（２５）との間の最短沿面離間距離（Ａ−Ａ’間の距離）を、それぞれ下記表１に示す寸法とした構成を有する、ランプ電圧が７０Ｖ、ランプ電力が２０Ｗの放電ランプ（１０）を作製した。
また図２に示す構成に従い、図４に示した状態におけるソケット基準線（Ｌ）と接触片（４５）との最短離間距離（Ｃ）が２０．０ｍｍであり、螺旋状受金部材（４４）と接触片（４５）との間の最短離間距離（Ｂ−Ｂ’間の距離）を、それぞれ下記表２に示す寸法とした構成の放電ランプ用ソケット（４０）を作製した。
【００４６】
上記の放電ランプ（１０）と放電ランプ用ソケット（４０）とを用いて、図３に示す構成による放電ランプ装置を作製し、気温２０±５℃、湿度４０±１０％の常温常湿状態で、点灯周波数６０Ｈｚの点灯回路を有する点灯装置を用い、始動電圧を変化させて各放電ランプを点灯させた。
そして、各放電ランプおよび放電ランプ用ソケットについて、絶縁耐圧値として、放電が発生した場合の最低印加電圧値を求め、絶縁耐圧値が十分に高いと評価されるものを「○」、そうでないものを「×」で示した。結果を表１および表２に示す。
【００４７】
【表１】
2004265640.tif 000003
【００４８】
【表２】
2004265640.tif 000004
【００４９】
表１および表２の結果から明らかなように、本発明に規定される条件を満たす放電ランプおよび放電ランプ用ソケットによれば、十分に高い絶縁耐圧性が得られ、高い安全性が得られることが理解される。
【００５０】
【発明の効果】
本発明の放電ランプによれば、口金部を構成するベースにおいて、ベース本体の突出部の外表面に沿った螺旋状給電部材と点状給電部材との間の最短沿面離間距離が６．０ｍｍ以上とされていることにより、当該螺旋状給電部材と点状給電部材との間に高い絶縁性が得られるため、それらの間における放電が確実に防止され、従って高い安全性が得られる。
【００５１】
本発明の放電ランプ用ソケットによれば、装着される放電ランプの口金部における螺旋状給電部材が螺合される螺旋状受金部材と、当該口金部の点状給電部材が接触される接触片との間における最短離間距離が５．０ｍｍ以上とされていることにより、それらの間における放電が確実に防止され、従って高い安全性が得られる。
【００５２】
また、放電ランプ用ソケットが、Ｅ１１口金の条件を満足する口金部が装着された場合における、当該口金部を構成するベースのベース基準線に一致するソケット基準線と接触片との間の最短離間距離が１９．６ｍｍ以上とされていることにより、Ｅ１１口金の条件に従う口金部を有するハロゲン白熱ランプが誤って装着された場合にも、当該ハロゲン白熱ランプの口金部の点状給電部材と、当該放電ランプ用ソケットの接触片との間が十分な距離を介して離間した状態となるため、当該ハロゲン白熱ランプに対して、放電ランプを点灯するための高電圧が印加されることが確実に防止され、併せて、当該点状給電部材と接触片との間で放電が発生することが確実に防止される。
【００５３】
本発明の放電ランプ装置よれば、上記の放電ランプおよび放電ランプ用ソケットにより構成されることにより、上記と同様の作用効果を確実に得ることができる。
【図面の簡単な説明】
【図１】本発明に係る放電ランプの一例における構成を示す説明用一部断面図である。
【図２】本発明に係る放電ランプ用ソケットの一例における構成を示す説明用断面図である。
【図３】図１の放電ランプと図２の放電ランプ用ソケットとよりなる本発明の放電ランプ装置の構成を示す説明用図面である。
【図４】図２の放電ランプ用ソケットに、ベースに係る、日本工業規格によるＥ１１口金に係る規格を満足する口金部が設置された状態を示す説明用断面図である。
【図５】本発明に係る放電ランプの変形例における構成を示す説明用一部断面図である。
【符号の説明】
１０  放電ランプ
１１  外管
１１１  排気管残部
１２  発光管
１３  封止部
１３１，  １３２  金属箔
１４１，  １４２  一方および他方のリード棒
１５１，  １５２  一方および他方の内部給電リード棒
１６１，１６２  外部リード棒
１７  トリガー電極
２０  ベース
２１  外管保持部
２２  給電部材支持部
２３  突出部
２４  螺旋状給電部材
２５  点状給電部材
２６１，  ２６２  一方および他方のリード線
２７  当接部
２８  貫通孔
４０  放電ランプ用ソケット
４１  ソケット本体
４１１  端面
４２  円筒状縁部
４３  受容空間
４４  螺旋状受金部材
４５  接触片
４６，  ４７  一方および他方の外部給電線導通部
５０  ベース
５４  螺旋状給電部材
５５  点状給電部材
【図１】
2004265640.tif 000005
【図２】
2004265640.tif 000006
【図３】
2004265640.tif 000007
【図４】
2004265640.tif 000008
【図５】
2004265640.tif 000009